(57)【要約】【課題】例えば胡椒等を入れる容器本体の口部には振出装置が付いており、このような振出装置の内部に埃等の異物が侵入しづらくすることを目的とする。【解決手段】可動キャップは、中空の半球状の上蓋と、上蓋から突出する操作部を備え、上蓋の縁部に複数の振出口を備え、固定キャップは、固定キャップ本体部と、上部リングを備え、固定キャップ本体部は、上部リングに連結する下部リングと、支持部を備え、下部リングと上部リングとのリング部の内側に可動キャップを配置し、上部リングを上蓋の外面に接触させ、支持部によって可動キャップを平面視全方向に揺動可能に支持し、操作部を操作した場合には、幾つかの振出口が開放される振出装置において、可動キャップは、上蓋から垂下する軸を備え、軸と支持部とは剛体であり、軸の被支持面と支持部の支持面は、上蓋の半球状の中心部において重なり合う凸状球面と凹状球面である。【選択図】      図１
2014080230.tif 000002
【特許請求の範囲】
【請求項１】
下側の固定キャップと、上側の可動キャップとを備え、
可動キャップは、中空の球体の上半分に相当する半球状の上蓋と、上蓋の頂部から上方に突出する操作部とを備え、上蓋の縁部に沿って間隔をおいて内容物を吐出させる複数の振出口を備えるものであり、
固定キャップは、固定キャップ本体部と、上端に開口部を有する環状の上部リングとを備えるものであって、
固定キャップ本体部は、容器本体の口部に固定する筒状の固定壁と、固定壁の上端から上方に延長し上部リングに連結する環状の下部リングと、固定壁又は下部リングから内側に突出する支持部とを備え、支持部には内容物を通過させる通過口を有するものであり、  下部リングと上部リングとによってリング部を形成し、リング部の内側に形成される内部空間に可動キャップを配置すると共に、上部リングを上蓋の外面に接触させ、支持部によって可動キャップを平面視して全方向に揺動可能に支持し、
開口部よりも上方に突出する操作部が平面視して開口部の中央部に位置する閉状態の場合には、全ての振出口がその外周側をリング部によって取り囲まれており、
操作部が平面視して開口部の偏心位置に位置する開状態の場合には、少なくとも一つの振出口が開口部を通じて開放されている振出装置において、
可動キャップは、上蓋から垂下する軸を備えるもので、
軸と支持部とは剛体であり、
軸の下端面の被支持面と支持部の上端面の支持面は、上蓋の半球状の中心部に相当する位置において重なり合う凸状球面と凹状球面であることを特徴とする振出装置。
【請求項２】
上部リングは、上蓋からその半径方向外側に離れて配置される上リング本体と、上リング本体の全周からその半径方向内側に突出して上蓋の外面に接触する環状の弾性接触片とを備えることを特徴とする請求項１記載の振出装置。
【請求項３】
弾性接触片は、二股に分かれる上片と下片を備えることを特徴とする請求項２記載の振出装置。
【請求項４】
上蓋は、その縁部を櫛歯状にすることによって振出口をスリット状にすると共に隣り合う振出口の間の歯を弾性変形可能に形成し、
下部リングの内周面には、可動キャップの閉状態と開状態の間の過渡状態において歯の下端部に衝突する内向壁を有することを特徴とする請求項１、２又は３記載の振出装置。
【請求項５】
可動キャップの開状態を維持するロック機構として、互いに嵌合可能な係止凸部と係止凸部を設け、
歯は、上蓋の半球面に沿って垂下する歯本体と、歯本体の下端部からリング部へ向かって半径方向外側に突出する係止凸部とを有し、
下部リングの内周面であって内向壁よりも下側には係止凹部を有することを特徴とする請求項４記載の振出装置。
【請求項６】
請求項１〜５の何れかに記載の振出装置と、固定壁に口部が固定されている容器本体と、容器本体に収容されている内容物としての食材を備えることを特徴とする包装食品。
【発明の詳細な説明】
【技術分野】
【０００１】
本発明は、例えば調味料等の粉状物、粒状物等の内容物が収容される容器本体を開閉可能に塞ぐ振出装置、及びその振出装置を構成要素とする包装食品に関する。
【背景技術】
【０００２】
一般的な振出装置において、その開閉操作を片手で行えるものには、俗にヒンジキャップと言われる、キャップ本体と蓋が薄肉部で連結された一体成形品や、複数部品から構成され、梃子やリンク機構を利用してこれら部品のうち蓋を開閉させるものがある。これらはいずれも周知であって、蓋の開閉方向を一方向とするものである。
【０００３】
しかしながら、蓋の開閉方向を平面視して全方向とする振出装置が存在する（特許文献１）。これは、容器本体に連結する固定キャップと、固定キャップに支持される可動キャップとから構成される。
【０００４】
固定キャップは、固定キャップ本体部と、上端に開口部を有する環状の上部リングとを備えるものである。そして、固定キャップ本体部は、容器本体の口部に連結する筒状の固定壁と、固定壁の上端から上方に延長する環状の下部リングと、下部リングの内側から突出すると支持部としての弾性支持部材とを備え、支持部には内容物を通過させる通過口を有するものである。そして、下部リングと上部リングとを連結することによってリング部を形成し、リング部の内面を、上端部と下端部を切除した中空の球体の内面に相当する摺動面としてある。
【０００５】
また、可動キャップは、半球状の上蓋と、上蓋の頂部から上方に突出する操作部とを備え、上蓋の縁部に沿って間隔をおいて内容物を吐出させる複数の振出口を備えるものである。
【０００６】
このような振出装置を組み立てる際には、支持部の上に可動キャップを載せ、上部リングを下部リングに嵌合させる。これによって可動キャップを介して支持部を下方に押し込み、それに伴って発生する支持部の復元力によって、上部リングの内面（摺動面）に固定キャップの外面（摺動面）が接触して重なり合うようにしたものである。
【先行技術文献】
【特許文献】
【０００７】
【特許文献１】特許４５６７０９５号公報
【発明の概要】
【発明が解決しようとする課題】
【０００８】
しかしながら、特許文献１に開示された振出装置は、支持部の復元力によって接触を確保するものであるため、操作部を無理に下方に押すと、固定キャップに対して可動キャップが沈み、上部リングと上蓋との間に隙間が形成され、その隙間から埃等の異物が内部に侵入する可能性がある。
【０００９】
また、可動キャップを開閉するために操作部を操作している間、固定リングと可動リングとの面同士が擦れ合っているので、摩擦によって振出装置自身から粉状の異物が発生する可能性がある。
【００１０】
このような異物が容器本体内の食品に混入する可能性は、できる限り小さい方が望ましい。また、固定リングと可動リングとは面接触するので、面同士の間に内容物が噛み込まれ易く、そうなると操作感が悪化する。
【００１１】
本発明は、上記実情を考慮したもので、少なくとも埃等の異物が振出装置の内部に侵入しづらくすることを目的とする。
【課題を解決するための手段】
【００１２】
本発明は、下側の固定キャップと、上側の可動キャップとを備え、可動キャップは、中空の球体の上半分に相当する半球状の上蓋と、上蓋の頂部から上方に突出する操作部とを備え、上蓋の縁部に沿って間隔をおいて内容物を吐出させる複数の振出口を備えるものであり、固定キャップは、固定キャップ本体部と、上端に開口部を有する環状の上部リングとを備えるものであって、固定キャップ本体部は、容器本体の口部に固定する筒状の固定壁と、固定壁の上端から上方に延長し上部リングに連結する環状の下部リングと、固定壁又は下部リングから内側に突出する支持部とを備え、支持部には内容物を通過させる通過口を有するものであり、下部リングと上部リングとによってリング部を形成し、リング部の内側に形成される内部空間に可動キャップを配置すると共に、上部リングを上蓋の外面に接触させ、支持部によって可動キャップを平面視して全方向に揺動可能に支持し、開口部よりも上方に突出する操作部が平面視して開口部の中央部に位置する閉状態の場合には、全ての振出口がその外周側をリング部によって取り囲まれており、操作部が平面視して開口部の偏心位置に位置する開状態の場合には、少なくとも一つの振出口が開口部を通じて開放されている振出装置を前提とする。
【００１３】
そして、本発明は、可動キャップは、上蓋から垂下する軸を備えるもので、軸と支持部とは剛体であり、軸の下端面の被支持面と支持部の上端面の支持面は、上蓋の半球状の中心部に相当する位置において重なり合う凸状球面と凹状球面であることを特徴とする。
【００１４】
また、可動キャップの閉状態において上部リングと上蓋とは面接触するものであっても良いが、次のようにすることが望ましい。
すなわち、上部リングは、上蓋からその半径方向外側に離れて配置される上リング本体と、上リング本体の全周からその半径方向内側に突出して上蓋の外面に接触する環状の弾性接触片とを備えることである。
【００１５】
さらに、弾性接触片は、枚数を問わないが、次のようにすることが望ましい。
すなわち、弾性接触片は、二股に分かれる上片と下片を備えることである。
【００１６】
また、可動キャップの閉状態を維持しやすくするには、次のようにすることが望ましい。
すなわち、上蓋は、その縁部を櫛歯状にすることによって振出口をスリット状にすると共に隣り合う振出口の間の歯を弾性変形可能に形成し、下部リングの内周面には、可動キャップの閉状態と開状態の間の過渡状態において歯の下端部に衝突する内向壁を有することである。
【００１７】
さらに、可動キャップの開状態を維持するには、次のようにすることが望ましい。
すなわち、可動キャップの開状態を維持するロック機構として、互いに嵌合可能な係止凸部と係止凸部を設け、歯は、上蓋の半球面に沿って垂下する歯本体と、歯本体の下端部からリング部へ向かって半径方向外側に突出する係止凸部とを有し、下部リングの内周面であって内向壁よりも下側には係止凹部を有することを特徴とする。
【００１８】
また、前記した振出装置は、包装食品の一つの構成要素である。
したがって、本発明の包装食品は、振出装置と、固定壁に口部が固定されている容器本体と、容器本体に収容されている内容物としての食材を備えるものである。
【発明の効果】
【００１９】
本発明によれば、凹状球面と凸状球面を含む軸と支持部とを剛体（＝変形不能な物）としてあるので、上蓋に対して下向きの力が作用しても弾性接触片と上蓋との接触が維持され、埃等の異物が振出装置の内部に侵入しづらくなる。
【００２０】
また、弾性接触片を上部リングの上端部の全周から突出して上蓋に接触するものとしてあれば、弾性接触片と上蓋とは恰も線接触することになり、従来のような面接触するもの比べれば、接触面積が遥かに狭くなり、可動キャップを開閉している間に振出装置から粉状の異物が発生しづらくなる。また、線接触することから、上部リングと上蓋との間に内容物を噛み込み難くなり、円滑な操作感が得られる。
【００２１】
さらに、弾性接触片を上片と下片にすれば、上片が上蓋と接触することにより埃等の外部からの異物の侵入を防ぎ、下片が上蓋と接触することにより上蓋に付着する内容物を下方に掻き落とす。
【００２２】
また、上蓋の縁部を櫛歯状とし、隣り合う振出口の間の歯を弾性変形可能とし、その上で、下部リングの内周面に内向壁を有するようにすれば、可動キャップが閉状態と開状態との過渡状態において、歯の下端部に内向壁が衝突し、それに伴って歯が変形し、復元力が発生する。従って、可動キャップを開状態から閉状態にしようとして操作部を操作すると、過渡状態に発生する歯の復元力が、可動キャップを閉状態に戻すための力として作用する。その結果、可動キャップが閉状態になり易くなる。
【００２３】
さらに、可動キャップの開状態を維持するロック機構を備えれば、歯の係止凸部が下部リングの係止凹部に嵌合することにより、操作部に触れていなくとも可動キャップの開状態、つまり、振出口の開放状態を維持することができる。その結果、操作部に触れていなくても、内容物を振り出すことが可能となる。
【００２４】
また、本発明の包装食品は、このような振出装置を容器本体に固定してあるので、食材に埃等の異物が混入しづらく、衛生的に使用することができる。
【図面の簡単な説明】
【００２５】
【図１】本発明の第１実施形態の振出装置を示す縦断面図である。
【図２】（ａ）〜（ｃ）図は、第１実施形態の振出装置において、可動キャップの閉状態、開状態、上部リングを外した状態を示す斜視図である。
【図３】（ａ）〜（ｃ）図は、可動キャップを示す平面図、正面図、底面図である。
【図４】（ａ）〜（ｄ）図は、固定キャップ本体部を示す斜視図、正面図、平面図、底面図である。
【図５】（ａ）〜（ｃ）図は、第１実施形態の振出装置の閉状態、過渡状態、開状態を示す切断部端面図である。
【発明を実施するための形態】
【００２６】
図１、図２には本発明の第１実施形態の振出装置１が示されている。この第１実施形態の振出装置１は、図示しない容器本体に取り付けられる固定キャップ２と、固定キャップ２に支持される可動キャップ５とから構成される。以下、各構成要素について詳述する。
【００２７】
可動キャップ５は、図１又は図３に示すように、中空の球体の上半分に相当する形状の上蓋５１と、上蓋５１の頂部（中央部）から上方に突出する操作部５２と、上蓋５１の中央部から垂下する軸５３を有している。以後の説明においては、この操作部５２と軸５３が上下方向に延長している状態を、可動キャップ５の閉状態（振出装置１の閉状態）として説明する。
【００２８】
上蓋５１は、その縁部の円周方向に沿って等間隔おきに振出口５１ａを有している。振出口５１ａは、上蓋５１の肉厚方向に貫通すると共に、下端に開口するスリットである。スリットは、上下方向に長い縦長形状であり、上端を上側に膨らむ円弧状としてある。このようなスリットからなる振出口５１ａを円周方向に沿って等間隔おきに有しているので、上蓋５１の縁部は櫛歯状となっており、隣り合う２つの振出口５１ａ、５１の間を遮る部分が歯５１ｂとなる。各歯５１ｂは、上蓋５１の球面に沿って垂下する歯本体５１ｃと、歯本体５１ｃの下端部から半径方向外側に向かって突出する係止凸部５１ｄとから構成される。
【００２９】
各係止凸部５１ｄは、球を縦横に４分割した場合の右下の分割体に相当する形状である。そして、各係止凸部５１ｄは、図３（ｂ）のように正面視すると、自身が付いている歯本体５１ｃの横幅よりも幅が狭く、歯本体５１ｃの幅中央部に配置されている。
【００３０】
操作部５２は、上蓋５１から上方に突出する円柱状のジョイント部５２ａと、ジョイント部５２ａの上に連続する球状の操作部本体５２ｂとを備えている。操作部本体５２ｂの半径は、ジョイント部５２ａの半径よりも大きいものとしてある。
【００３１】
軸５３は、その下端面の半径方向中央部に被支持面としての凹状球面５３ａを備えている。凹状球面５３ａは、半球状の上蓋５１の中心部に位置しており、球面状（より詳しくは球面の一部であって、球体の上半分からさらにその下部を切除した場合の外面に相当する形状）である。この球面状の凹状球面５３ａにより揺動可能に支持されるのが固定キャップ２である。
【００３２】
固定キャップ２は、固定キャップ本体部３と、上端に開口部４ａを有する環状の上部リング４との２部品から構成される。
【００３３】
上部リング４は、可動キャップ５を半径方向外側から囲む環状の上リング本体４１と、上リング本体４１の上端の全周からその半径方向内側に突出する弾性接触片４２とから構成される。
【００３４】
弾性接触片４２は、上リング本体４１の上端から二股に分岐する環状の上片４２ａと下片４２ｂとから構成される。上片４２ａよりも内側部分が開口部４ａとなる。また、上片４２ａと下片４２ｂは何れも弾性を有しており、各片４２ａ、４２ｂの先端が可動キャップ５の上蓋５１に接触して僅かに変形する。上片４２ａと下片４２ｂと上蓋５１との間には、環状の微小空間４２ｃが形成される。上片４２ａと下片４２ｂとの分岐角度θ０は、鈍角としてあり、鈍角とすることがそれ以下の角度（直角又は鋭角）にするよりも上蓋５１の外面に付着する異物を掻き落とすことには理想的である。更に詳しく言えば、上片４２ａの延長方向と上蓋５１の接線（上蓋５１に上片４２ａが接する点での接線）とで形成される角度θ１、並びに下片４２ｂの延長方向と上蓋５１の接線（上蓋５１に下片４２ｂが接する点での接線）とで形成される角度θ２は、いずれも４５度未満とすることが、異物を掻き落とすこと等にはより理想的である。
【００３５】
上リング本体４１は、閉状態の上蓋５１の縁部をその半径方向外側に離れた位置で取り囲むもので、上端部を除く大半部分が、上方に向かうにつれて内径が徐々に小さくなる形状（より詳しくは中空の球体の上半分からさらに上端部を切除した形状）に相当しており、その上端部を上蓋５１の表面に近づくように半径方向内側に向かって屈曲するように突出してある。また、上リング本体４１は、その下端面に上連結部４１ａを有している。この上連結部４１ａを連結するのが、固定キャップ本体部３である。
【００３６】
固定キャップ本体部３は、円筒状の固定壁３１と、固定壁３１の上端の全周から上方に延長する環状の下部リング３２と、固定壁３１と下部リング３２との境界部分から内側に突出する支持部３３とから構成される。
【００３７】
固定壁３１は、円筒状の内周面に雌ネジ３１ａを有しており、この雌ネジ３１ａは図示しない容器本体の円筒状の口部の外周面に形成された雄ネジに捻じ込まれる。
【００３８】
支持部３３は、軸５３を載せる胴部３４と、固定壁３１と下部リング３２との境界部分の円周方向全周から内向きに突出する環状の内鍔３５と、胴部３４から固定壁３１と下部リング３２との境界部分へ向かって延長する複数本の脚部３６とを有している。
【００３９】
胴部３４は、円柱状であって、その上部３４ａの直径に比べて下部３４ｂのそれを大きくした段付き形状である。また、胴部３４の上部３４ａが上蓋５１の半球状の中心部であって、この上面が軸５３を支える支持面であり、上向きに膨らむ凸状球面３４ｃである。この凸状球面３４ｃと前記の凹状球面５３ａとが上蓋５１の半球状の中心部に相当する位置において重なり合って、上蓋５１が揺動可能に支持されている。因みに、可動キャップ５の閉状態において、凸状球面３４ｃは、凹状球面５３ａの中央部に重なり合い、凹状球面５３ａの縁部には重なり合っていない。このような凸状球面３４ｃを上面とする胴部３４の上部３４ａと下部３４ｂとの境界部分である段部３４ｄは、可動キャップ５の揺動範囲を規制するストッパー部となっている。また、胴部３４の下部３４ｂは脚部３６の接合部となっており、円周方向に等間隔あけて複数本の脚部３６が接合されている。
【００４０】
脚部３６は、棒状である。そして、隣り合う２本の脚部３６、３６の間には内容物が通過する第２の通過口３６ａが形成される。
【００４１】
内鍔３５は、図示しない容器本体の口部の上端面に当たるもので、これによって固定壁３１が容器本体の口部に必要以上に捻じ込まれないようにしてある。また、内鍔３５は輪状のリングであるので、その内側には内容物が通過する第１の通過口３５ａが形成される。
【００４２】
下部リング３２は、図１又は図４に示すように、下方に向かうにつれて内径が徐々に小さくなる形状（より詳しくは中空の球体の下半分からさらに下端部を切除した形状）の下リング本体３２ａと、下リング本体３２ａの内周面から半径方向内側に突出する内向壁３２ｂと、下リング本体３２ａの上端面の全周から上方に突出する下連結部３２ｃとを有している。
【００４３】
この下連結部３２ｃと固定キャップ本体部３の上連結部４１ａとは、凹部と凸部とによって構成され、凹部と凸部とが嵌合することにより、上部リング４と固定キャップ本体部３とが連結される。ここでは、上リング本体４１の下端面の内周部が上向きに凹んで凹部（上連結部４１ａ）となっており、固定キャップ本体部３の上端面の内周部が上向きに突出して凸部（下連結部３２ｃ）となっている。
【００４４】
この下連結部３２ｃを含む下部リング３２と、上連結部４１ａを含む上部リング４とが、リング部６の構成要素となる。リング部６は、環状体であり、この環状体の内側に形成される内部空間が、可動キャップ５の配置空間であり、可動キャップ５が揺動するときにおける係止凸部５１ｄの移動空間である。
【００４５】
下リング本体３２ａは、その内周面には内向壁３２ｂに対して下側の部分に、その円周方向全周に亘って断面Ｃ字状の窪みが形成されている。この窪みが係止凹部３２ｄであり。この係止凹部３２ｄに嵌合可能な部分が、前記した可動キャップ５の係止凸部５１ｄである。そして、係止凹部３２ｄと係止凸部５１ｄとが、可動キャップ５の開状態の位置を維持するロック機構７の構成要素となる。
【００４６】
内向壁３２ｂは、可動キャップ５の係止凸部５１ｄが衝突可能な壁である。つまり、可動キャップ５が閉状態の場合に、係止凸部５１ｄは内向壁３２ｂに非接触であり、可動キャップ５が揺動する場合に係止凸部５１ｄは内向壁３２ｂに衝突する。因みに、係止凸部５１ｄは、球体の１／４に相当する形状であり、この球面が一点で内向壁３２ｂに衝突することになる。
【００４７】
また、係止凸部５１ｄが内向壁３２ｂに衝突する条件は次の通りである。内向壁３２ｂが存在しない状況を仮定する。この仮定条件下において、可動キャップ５が上下方向に揺動する場合をさらに想定する。このときに係止凸部５１ｄは閉状態時の位置を中心にして上下方向に軌跡を描くが、このうち下側の軌跡よりも揺動中心部側に内向壁３２ｂは突出している。これによって係止凸部５１ｄは内向壁３２ｂに衝突することになる。
【００４８】
また、内向壁３２ｂは断面台形状であって、その内周面の斜度は、上端部、高さ中間部、下端部の順に急になっている。つまり、内向壁３２ｂの内周面の上端部は緩斜面、高さ中間部は中斜面、下端部は急斜面となる。そして、この急斜面が、前記した係止凹部３２ｄの一部となっている。
【００４９】
上述した固定キャップ２及び可動キャップ５は、プラスチック射出成型品である。また、固定キャップ本体部３、可動キャップ５及び上部リング４は、ポリプロピレン又はポリアセタールが望ましい。上部リング４の上片４２ａと下片４２ｂ、並びに可動キャップ５の各歯５１ｂは、これらの材料、肉厚及び形状等との関係で弾性変形可能となっている。また、可動キャップ５については凹状球面５３ａを含む軸５３、固定キャップ２については凹状球面５３ａを含む支持部３３は、材料、肉厚及び形状等との関係でいずれも剛体となっている。
【００５０】
上記した振出装置１を組立てる場合、例えば、まず、図示しないテーブルの上に固定キャップ本体部３を立たせ、固定キャップ本体部３の支持部３３の凸状球面３４ｃに可動キャップ５の軸５３の凹状球面５３ａを載せる。そして、上部リング４の下端部の上連結部４１ａを下部リング３２の上端部の下連結部３２ｃにプラスチックの弾性を利用して嵌合する。このようにすることにより、上部リング４の上片４２ａと下片４２ｂとが上蓋５１の外周面に接触する。このとき上片４２ａと下片４２ｂとが環状であることから、上片４２ａと下片４２ｂの各先端が円周方向の全域から均等に上蓋５１に接触し、上片４２ａと下片４２ｂとが僅かに弾性変形し、可動キャップ５が閉状態となる。つまり、操作部５２と軸５３が上下方向に延長している状態になり、このとき平面視すると、上片４２ａの内側に位置する開口部４ａの中心に、操作部５２が位置するようになる。開口部４ａが環状であり、その中心部に操作部５２（ジョイント部５２ａ）が位置していることから、平面視して操作部５２を開口部４ａの外周部に向かって全方向に移動可能となる。また、閉状態では、全ての振出口５１ａは、弾性接触片４２（下片４２ｂ）よりも下側に位置していることから、上部リング４によって塞がれている（取り囲まれている）。しかも、閉状態では、全ての係止凸部５１ｄは、下リング本体３２ａの内向壁３２ｂの上端面から僅かに離れており、つまり、全ての係止凸部５１ｄと下リング本体３２ａとの間に隙間がある。
【００５１】
また、振出装置１を使用する場合は、図５（ａ）に示すように閉状態にある可動キャップ５に対して、操作部５２を例えば水平方向に押すと、可動キャップ５が押された方向に所定角度回りながら操作部５２が傾き、図５（ｃ）に示すように操作部５２が傾いた状態で可動キャップ５が停止する。このとき平面視して操作部５２は開口部４ａの中心部から外れた位置、つまり偏心位置に位置し、この状態が可動キャップ５の開状態である。開状態の可動キャップ５は、ロック機構７が作用し、少なくとも１つの係止凸部５１ｄが係止凹部３２ｄに嵌合している。また、軸５３の下端面の外周部が胴部３４の段部３４ｄに衝突し、可動キャップ５のさらなる回転を抑制する。
【００５２】
ここで、閉状態から開状態に移行するまでの過渡状態を詳述する。まず、閉状態から開状態に移行するときは、指による操作部５２への操作を契機として（１）過渡状態の初期段階で、全ての係止凸部５１ｄのうち下方に移動したものが内向壁３２ｂの内周面の上端部（緩斜面）に衝突しながら徐々に半径方向内側に押し込まれる。そして、（２）過渡状態の中期段階で、図５（ｂ）に示すように、下方に移動した係止凸部５１ｄは内向壁３２ｂの内周面の高さ中間部（中斜面）に押し込まれ、押し込まれた係止凸部５１ｄを有する歯５１ｂ（歯本体５１ｃ）が自身の弾性によって撓むように変形し、復元力が発生する。さらに、（３）過渡状態の終期段階では、係止凸部５１ｄが中斜面を過ぎて急斜面に来たときに、復元力が解放されて歯５１ｂの変形量が小さくなり、その後、係止凹部３２ｄに係止凸部５１ｄが嵌合して閉状態になる。
【００５３】
また、開状態から閉状態に移行するときは、指による操作部５２への操作を契機として（１）過渡状態の初期段階で、それまで嵌合していた係止凸部５１ｄが係止凹部３２ｄから抜け外れて、急斜面を移動する。（２）過渡状態の中期段階で、前記したときと同様の復元力が発生する。（３）過渡状態の終期段階では、係止凸部５１ｄが緩斜面にきたときに、復元力が開放され始める。その後、係止凸部５１ｄが内向壁３２ｂよりも上側にくると、可動キャップ５には、閉方向に移動する力が発生しており、可動キャップ５の全ての歯本体５１ｃが変形していない状態となる。そして、ここで操作部５２が平面視して開口部４ａの中央部にきたあたりで指を止めれば、可動キャップ５は、元の閉状態に戻る。
【００５４】
因みに、前記した振出装置１を、内容物としての食材が収容された容器本体の口部に連結することにより、包装食品が製造される。収容される食材としては、塩、胡椒等の粉状或いは粒状の香辛料等の調味料が代表例として挙げられる。
【００５５】
本発明は上記実施形態に限定されるものではなく、その趣旨を逸脱しない範囲において適宜変更可能である。例えば、支持部３３は、内鍔３５がなく、胴部３４と脚部３６のみで構成しても良いし、脚部３６の代わりに末広がりとなるテーパ状のスカート部を有するものとし、このスカート部に通過口をあけるものであっても良い。
【００５６】
また、可動キャップ５を揺動可能に支持する構成は、凸状球面を軸５３の下端面に備え、凹状球面を支持部３３の上端面に備えるものであっても良い。なお、支持部３３は、固定壁３１と下リング本体３２ａとの境界部分に限らず、固定壁３１又は下リング本体３２ａにその下端を接合するものであっても良い。
【符号の説明】
【００５７】
１振出装置
２固定キャップ
３固定キャップ本体部
４上部リング
４ａ開口部
５可動キャップ
６リング部
７ロック機構
３１固定壁
３１ａ雌ネジ
３２下部リング
３２ａ下リング本体
３２ｂ内向壁
３２ｃ下連結部
３２ｄ係止凹部
３３支持部
３４胴部
３４ａ上部
３４ｂ下部
３４ｃ凸状球面
３４ｄ段部
３５内鍔
３５ａ通過口
３６脚部
３６ａ通過口
４１上リング本体
４１ａ上連結部
４２弾性接触片
４２ａ上片
４２ｂ下片
４２ｃ微小空間
５１上蓋
５１ａ振出口
５１ｂ歯
５１ｃ歯本体
５１ｄ係止凸部
５２操作部
５２ａジョイント部
５２ｂ操作部本体
５３軸
５３ａ凹状球面
【図１】
2014080230.tif 000003
【図２】
2014080230.tif 000004
【図３】
2014080230.tif 000005
【図４】
2014080230.tif 000006
【図５】
2014080230.tif 000007